(57)【要約】【課題】    本考案は、設置し易い縁石を提供する。【解決手段】    縁石１は、正面部１１、右側面部１２、左側面部１３、背面部１４、上面部１５、底面部１６を有する略直方体形状の縁石本体１０と、縁石本体１０の長手方向の略中央の正面部１１と底面部１６との角部に設けられた第１の凹所１７と  、縁石本体１０の長手方向の略中央の背面部１４と底面部１６との角部に設けられた第２の凹所１８とを備えてなるものである。【選択図】    図３
0003115138.tif 000002
【実用新案登録請求の範囲】
【請求項１】
正面部、右側面部、左側面部、背面部、上面部、底面部を有する略直方体形状の縁石本体と、
前記縁石本体の長手方向の略中央の前記正面部と前記底面部との角部に設けられた第１の凹所と、
前記縁石本体の長手方向の略中央の前記背面部と前記底面部との角部に設けられた第２の凹所と、
を備えてなることを特徴とする縁石。
【請求項２】
第１の凹所及び第２の凹所にモルタル等の固定材が充填されて設置部位に固定されていることを特徴とする請求項１記載の縁石。
【請求項３】
正面部、右側面部、左側面部、背面部、上面部、底面部を有する略直方体形状の縁石本体と、
前記右側面部及び前記左側面部は、前記縁石本体の長手方向を横断する方向に設けられ、
前記右側面部と前記底面部との角部に設けられた右凹所と、
前記左側面部と前記底面部との角部に設けられた左凹所と、
を備えてなることを特徴とする縁石。
【請求項４】
右凹所及び左凹所にモルタル等の固定材が充填されて設置部位に固定されていることを特徴とする請求項３記載の縁石。
【請求項５】
右凹所と左凹所が連通して凹所が形成されていることを特徴とする請求項３記載の縁石。
【請求項６】
右凹所と左凹所が連通して凹所が形成され、該凹所にモルタル等の固定材が充填されて設置部位に固定されていることを特徴とする請求項３記載の縁石。
【請求項７】
底面部、該底面部の一方側から立ち上がった第１の立設部、前記底面部の他方側から立ち上がった第２の立設部を有する略Ｕ字形状のＵ字溝本体と、
前記Ｕ字溝本体の長手方向の略中央の前記底面部と前記第１の立設部との角部の外側に設けられた第１の外凹所と、
前記Ｕ字溝本体の長手方向の略中央の前記底面部と前記第２の立設部との角部の外側に設けられた第２の外凹所と、
を備えてなることを特徴とするＵ字溝。
【請求項８】
第１の外凹所及び第２の外凹所にモルタル等の固定材が充填されて設置部位に固定されていることを特徴とする請求項７記載のＵ字溝。
【請求項９】
底面部、該底面部の一方側から立ち上がった第１の立設部、前記底面部の他方側から立ち上がった第２の立設部を有する略Ｕ字形状のＵ字溝本体と、
前記Ｕ字溝本体の一方の端面の底面部の角部に設けられた第１の端凹所と、
前記Ｕ字溝本体の他方の端面の底面部の角部に設けられた第２の端凹所と、       を備えてなることを特徴とするＵ字溝。
【請求項１０】
第１の端凹所及び第２の端凹所にモルタル等の固定材が充填されて設置部位に固定されていることを特徴とする請求項９記載のＵ字溝。
【請求項１１】
第１の端凹所と第２の端凹所が連通して端凹所が形成されていることを特徴とする請求項９記載の縁石。
【請求項１２】
第１の端凹所と第２の端凹所が連通して端凹所が形成され、該端凹所にモルタル等の固定材が充填されて設置部位に固定されていることを特徴とする請求項９記載の縁石。
【考案の詳細な説明】
【技術分野】
【０００１】
本考案は、縁石及びＵ字溝に係り、特に、設置し易い縁石及びＵ字溝に関する。
【背景技術】
【０００２】
道路、土地等の境界部に設けられる縁石がある（例えば、特許文献１参照）  。この縁石にあっては、ある程度重く、縁石に手かけ部がないため、設置面への移動がしにくいという問題点があった。
【特許文献１】実開平７−３１９１３号公報
【考案の開示】
【考案が解決しようとする課題】
【０００３】
本考案は、前記した問題点を除去するようにした縁石及びＵ字溝を提供することを目的としている。
【課題を解決するための手段】
【０００４】
前記した目的を達成するための請求項１記載の縁石は、正面部、右側面部、左側面部、背面部、上面部、底面部を有する略直方体形状の縁石本体と、前記縁石本体の長手方向の略中央の前記正面部と前記底面部との角部に設けられた第１の凹所と、前記縁石本体の長手方向の略中央の前記背面部と前記底面部との角部に設けられた第２の凹所とを備えてなるものである。
【０００５】
また、請求項２記載の縁石は、請求項１記載の縁石において、第１の凹所及び第２の凹所にモルタル等の固定材が充填されて設置部位に固定されているものである。
【０００６】
また、請求項３記載の縁石は、正面部、右側面部、左側面部、背面部、上面部、底面部を有する略直方体形状の縁石本体と、前記右側面部及び前記左側面部は、前記縁石本体の長手方向を横断する方向に設けられ、前記右側面部と前記底面部との角部に設けられた右凹所と、前記左側面部と前記底面部との角部に設けられた左凹所とを備えてなるものである。
【０００７】
また、請求項４記載の縁石は、請求項３記載の縁石において、右凹所及び左凹所にモルタル等の固定材が充填されて設置部位に固定されているものである。
【０００８】
また、請求項５記載の縁石は、請求項３記載の縁石において、右凹所と左凹所が連通して凹所が形成されているものである。
【０００９】
また、請求項６記載の縁石は、請求項３記載の縁石において、右凹所と左凹所が連通して凹所が形成され、該凹所にモルタル等の固定材が充填されて設置部位に固定されているものである。
【００１０】
また、請求項７記載のＵ字溝は、底面部、該底面部の一方側から立ち上がった第１の立設部、前記底面部の他方側から立ち上がった第２の立設部を有する略Ｕ字形状のＵ字溝本体と、前記Ｕ字溝本体の長手方向の略中央の前記底面部と前記第１の立設部との角部の外側に設けられた第１の外凹所と、前記Ｕ字溝本体の長手方向の略中央の前記底面部と前記第２の立設部との角部の外側に設けられた第２の外凹所とを備えてなるものである。
【００１１】
また、請求項８記載のＵ字溝は、請求項７記載のＵ字溝において、第１の外凹所及び第２の外凹所にモルタル等の固定材が充填されて設置部位に固定されているものである。
【００１２】
また、請求項９記載のＵ字溝は、底面部、該底面部の一方側から立ち上がった第１の立設部、前記底面部の他方側から立ち上がった第２の立設部を有する略Ｕ字形状のＵ字溝本体と、前記Ｕ字溝本体の一方の端面の底面部の角部に設けられた第１の端凹所と、前記Ｕ字溝本体の他方の端面の底面部の角部に設けられた第２の端凹所とを備えてなるものである。
【００１３】
また、請求項１０記載のＵ字溝は、請求項９記載のＵ字溝において、第１の端凹所及び第２の端凹所にモルタル等の固定材が充填されて設置部位に固定されているものである。
【００１４】
また、請求項１１記載のＵ字溝は、請求項９記載の縁石において、第１の端凹所と第２の端凹所が連通して端凹所が形成されているものである。
【００１５】
また、請求項１２記載のＵ字溝は、請求項９記載の縁石において、第１の端凹所と第２の端凹所が連通して端凹所が形成され、該端凹所にモルタル等の固定材が充填されて設置部位に固定されているものである。
【考案の効果】
【００１６】
請求項１記載の縁石によれば、設置部位に縁石を設置する際、第１の凹所と第２の凹所を手掛けとして利用でき、設置し易く、しかも、設置する際、設置部位に固定するためのモルタル等の固定材を第１の凹所、第２の凹所に充填すれば、設置部位と縁石本体を強固にすることができる。
【００１７】
また、請求項２記載の縁石によれば、設置部位に縁石を設置する際、第１の凹所と第２の凹所を手掛けとして利用でき、設置し易く、しかも、設置する際、設置部位に固定するためのモルタル等の固定材を第１の凹所、第２の凹所に充填し、設置部位と縁石本体を強固にすることができる。
【００１８】
また、請求項３記載の縁石によれば、設置部位に縁石を設置する際、右凹所と左凹所を手掛けとして利用でき、設置し易く、しかも、設置する際、設置部位に固定するためのモルタル等の固定材を右凹所、左凹所に充填すれば、設置部位と縁石本体を強固にすることができる。
【００１９】
また、請求項４記載の縁石によれば、設置部位に縁石を設置する際、右凹所と左凹所を手掛けとして利用でき、設置し易く、しかも、設置する際、設置部位に固定するためのモルタル等の固定材を右凹所、左凹所に充填し、設置部位と縁石本体を強固にすることができる。
【００２０】
また、請求項５記載の縁石によれば、設置部位に縁石を設置する際、凹所の端部を手掛けとして利用でき、設置し易く、しかも、設置する際、設置部位に固定するためのモルタル等の固定材を凹所に充填すれば、設置部位と縁石本体を強固にすることができる。
【００２１】
また、請求項６記載の縁石によれば、設置部位に縁石を設置する際、凹所の端部を手掛けとして利用でき、設置し易く、しかも、設置する際、設置部位に固定するためのモルタル等の固定材を凹所に充填し、設置部位と縁石本体を強固にすることができる。
【００２２】
また、請求項７記載のＵ字溝によれば、設置部位にＵ字溝を設置する際、第１の外凹所と第２の外凹所を手掛けとして利用でき、設置し易く、しかも、設置する際、設置部位に固定するためのモルタル等の固定材を第１の外凹所、第２の外凹所に充填すれば、設置部位とＵ字溝本体を強固にすることができる。
【００２３】
また、請求項８記載のＵ字溝によれば、設置部位にＵ字溝を設置する際、第１の外凹所と第２の外凹所を手掛けとして利用でき、設置し易く、しかも、設置する際、設置部位に固定するためのモルタル等の固定材を第１の外凹所、第２の外凹所に充填し、設置部位とＵ字溝本体を強固にすることができる。
【００２４】
また、請求項９記載のＵ字溝によれば、設置部位にＵ字溝を設置する際、第１の端凹所と第２の端凹所を手掛けとして利用でき、設置し易く、しかも、設置する際、設置部位に固定するためのモルタル等の固定材を第１の端凹所、第２の端凹所に充填すれば、設置部位とＵ字溝本体を強固にすることができる。
【００２５】
また、請求項１０記載のＵ字溝によれば、設置部位に縁石を設置する際、第１の端凹所と第２の端凹所を手掛けとして利用でき、設置し易く、しかも、設置する際  、設置部位に固定するためのモルタル等の固定材を第１の端凹所、第２の端凹所に充填し、設置部位とＵ字溝本体を強固にすることができる。
【００２６】
また、請求項１１記載のＵ字溝によれば、設置部位にＵ字溝を設置する際、端凹所の端部を手掛けとして利用でき、設置し易く、しかも、設置する際、設置部位に固定するためのモルタル等の固定材を端凹所に充填すれば、設置部位とＵ字溝本体を強固にすることができる。
【００２７】
また、請求項１２記載のＵ字溝によれば、設置部位にＵ字溝を設置する際、端凹所の端部を手掛けとして利用でき、設置し易く、しかも、設置する際、設置部位に固定するためのモルタル等の固定材を端凹所に充填し、設置部位とＵ字溝本体を強固にすることができる。
【考案を実施するための最良の形態】
【００２８】
本考案の一実施例の縁石及びＵ字溝を図面を参照して説明する。
図１乃至図５において、１は道路、土地等の境界部に設けられる縁石である  。図２に示す１０は、正面部１１、右側面部１２、左側面部１３、背面部１４、上面部１５、底面部１６を有する略直方体形状の縁石本体である。
１７は、図３に示すように、縁石本体１０の長手方向の略中央の正面部１１と底面部１６との角部に設けられた第１の凹所で、１８は、図３に示すように、縁石本体１０の長手方向の略中央の背面部１４と底面部１６との角部に設けられた第２の凹所である。
【００２９】
その結果、図３に示すように、設置部位２０（図５参照）に縁石１を設置する際、第１の凹所１７と第２の凹所１８を手掛けとして利用でき、設置し易く、しかも、設置部位２０に固定するためのモルタル等の固定材２１を第１の凹所１７、第２の凹所１８に充填すれば、設置部位２０と縁石本体１０を強固にすることができる。
【００３０】
上述した実施例においては、第１の凹所１７、第２の凹所１８を縁石本体１０の長手方向の略中央に設けたが、本考案にあっては、これに限らず、例えば、図６及び図７に示す縁石１でも良い。
即ち、上述した実施例と同一部分に同一符号を付してその説明を一部省略する。１７’は、右側面部１２と底面部１６との角部に設けられた右凹所で、１８’は、左側面部１３と底面部１６との角部に設けられた左凹所である。なお、右側面部１２及び左側面部１３は、縁石本体１０の長手方向を横断する方向に位置している。
この実施例の縁石１も上述した実施例の縁石１と同様に、設置部位２０（図７参照）に縁石１を設置する際、右凹所１７’と左凹所１８’を手掛けとして利用でき、設置し易く、しかも、設置部位２０に固定するためのモルタル等の固定材２１を右凹所１７’と左凹所１８’に充填すれば、設置部位２０と縁石本体１０を強固にすることができる。
【００３１】
また、図６及び図７に示す右凹所１７’と左凹所１８’が、図８に示すように、連通して凹所Ｐを形成するようにしても良い。図８においては、上述した実施例と同一部分に同一符号を付してその説明を一部省略する。図８記載の縁石１も、上述の実施例と同様、設置部位に縁石を設置する際、凹所Ｐの端部を手掛けとして利用でき、設置し易く、しかも、設置する際、設置部位に固定するためのモルタル等の固定材を凹所Ｐに充填し、設置部位と縁石本体を強固にすることができる。
【００３２】
上述した実施例においては、縁石１であったが、本考案にあっては、これに限らず、例えば、図９乃至図１２に示す側溝に使用されるＵ字溝３でも良い。
即ち、３０は、底面部３１、該底面部３１の一方側から立ち上がった第１の立設部３２、底面部３１の他方側から立ち上がった第２の立設部３３を有する略Ｕ字形状のＵ字溝本体である。
３４はＵ字溝本体３０の長手方向の略中央の底面部３１と第１の立設部３２との角部の外側に設けられた第１の外凹所で、３５はＵ字溝本体３０の長手方向の略中央の底面部３１と第２の立設部３３との角部の外側に設けられた第２の外凹所である。
【００３３】
その結果、図１０に示すように、設置部位４０にＵ字溝３を設置する際、第１の外凹所３４と第２の外凹所３５を手掛けとして利用でき、設置し易く、しかも、設置する際、図１２に示すように、設置部位４０に固定するためのモルタル等の固定材４１を第１の外凹所３４、第２の外凹所３５に充填すれば、設置部位４０とＵ字溝本体３０を強固にすることができる。
【００３４】
上述した実施例においては、第１の外凹所３４、第２の外凹所３５をＵ字溝本体３０の長手方向の略中央に設けたが、本考案にあっては、これに限らず、例えば、図１３乃至図１５に示すＵ字溝３でも良い。
即ち、上述した実施例と同一部分に同一符号を付してその説明を一部省略する。３４’はＵ字溝本体３０の一方の端面の底面部の角部に設けられた第１の端凹所で、３５’はＵ字溝本体３０の他方の端面の底面部の角部に設けられた第２の端凹所である。
このＵ字溝３も、上述のＵ字溝３と同様、設置部位４０にＵ字溝３を設置する際、第１の端凹所３４’と第２の端凹所３５’を手掛けとして利用でき、設置し易く、しかも、設置する際、図１５に示すように、設置部位４０に固定するためのモルタル等の固定材４１を第１の端凹所３４’、第２の端凹所３５’に充填すれば、設置部位４０とＵ字溝本体３０を強固にすることができる。
【００３５】
また、図１３に示す第１の端凹所３４’と第２の端凹所３５’を連通させて端凹所（図示せず）を形成するようにしても良い。このＵ字溝（図示せず）も、上述のＵ字溝３と同様、設置部位（図示せず）にＵ字溝（図示せず）を設置する際、端凹所（図示せず）の端部を手掛けとして利用でき、設置し易く、しかも、設置する際、設置部位（図示せず）に固定するためのモルタル等の固定材（図示せず）を端凹所（図示せず）に充填すれば、設置部位（図示せず）とＵ字溝本体（図示せず）を強固にすることができる。
【図面の簡単な説明】
【００３６】
【図１】図１は、本考案の一実施例である縁石の使用例を示す概略的斜視図である。
【図２】図２は、図１の縁石の概略的斜視図である。
【図３】図３は、図２のＸ−Ｘ線による概略的断面図である。
【図４】図４は、図１の概略的平面図である。
【図５】図５は、図４のＹ−Ｙ線による概略的断面図である。
【図６】図６は、図１の縁石と異なる他の実施例の縁石の概略的斜視図である。
【図７】図７は、図６の縁石が設置された状態の概略的断面図である。
【図８】図８は、図６の縁石と異なる他の実施例の縁石の概略的斜視図である。
【図９】図９は、本考案の一実施例であるＵ字溝の概略的斜視図である。
【図１０】図１０は、図９のＺ−Ｚ線による概略的断面図である。
【図１１】図１１は、図９のＵ字溝が設置された状態の概略的平面図である。
【図１２】図１２は、図１１の１１−１１線による概略的断面図である。
【図１３】図１３は、図９のＵ字溝と異なる他の実施例のＵ字溝の概略的斜視図である。
【図１４】図１４は、図１３のＵ字溝を長手方向に沿って切断した概略的断面図である。
【図１５】図１５は、図１３のＵ字溝が設置された状態の概略的断面図である。
【符号の説明】
【００３７】
１    …………縁石
１０  …………縁石本体
１１  …………正面部
１２  …………右側面部
１３  …………左側面部
１４  …………背面部
１５  …………上面部
１６  …………底面部
１７  …………第１の凹所
１８  …………第２の凹所
【図１】
0003115138.tif 000003
【図２】
0003115138.tif 000004
【図３】
0003115138.tif 000005
【図４】
0003115138.tif 000006
【図５】
0003115138.tif 000007
【図６】
0003115138.tif 000008
【図７】
0003115138.tif 000009
【図８】
0003115138.tif 000010
【図９】
0003115138.tif 000011
【図１０】
0003115138.tif 000012
【図１１】
0003115138.tif 000013
【図１２】
0003115138.tif 000014
【図１３】
0003115138.tif 000015
【図１４】
0003115138.tif 000016
【図１５】
0003115138.tif 000017